(57)【要約】【課題】ヒュージブルリンクに接続できる電線本数に対して追加電線が発生した場合に、簡単に対応できるものとする。【解決手段】既存品の基本ヒュージブルリンクと、追加電線に接続される追加ヒュージブルリンクを備え、前記基本ヒュージブルリンクは、Ｌ形状に屈曲されたバスバーが絶縁樹脂で被覆されて上側水平部と下向き屈曲部を有する形状とされ、前記上側水平部に前記バッテリー端子のボルトが挿入されるボルト穴を有する入力端子部が位置し、前記下向き屈曲部に前記入力端子部から分岐する複数の溶断部と、各溶断部の下流に連続する複数の出力端子部が位置しており、前記追加ヒュージブルリンクは前記基本ヒュージブルリンクの上側水平部の下面と下向き屈曲部の内面に沿うと共に、外方へ突出することなく配置されるＬ形状とされ、前記追加ヒュージブルリンクの入力端子部は前記基本ヒュージブルリンクの入力端子部と前記バッテリー端子との間に挟んだ状態でボルト締結される構造とされている。【選択図】図５
2017191650.tif 000002
【特許請求の範囲】
【請求項１】
バッテリー端子にボルト締結するヒュージブルリンクユニットであり、
基本ヒュージブルリンクと、追加電線に接続される追加ヒュージブルリンクを備え、
前記基本ヒュージブルリンクは、Ｌ形状に屈曲されたバスバーが絶縁樹脂で被覆されて上側水平部と下向き屈曲部を有する形状とされ、前記上側水平部に前記バッテリー端子のボルトが挿入されるボルト穴を有する入力端子部が位置し、前記下向き屈曲部に前記入力端子部から分岐する複数の溶断部と、各溶断部の下流に連続する複数の出力端子部が位置しており、
前記追加ヒュージブルリンクは前記基本ヒュージブルリンクの上側水平部の下面と下向き屈曲部の内面に沿うと共に、外方へ突出することなく配置されるＬ形状とされ、
前記追加ヒュージブルリンクの入力端子部は前記基本ヒュージブルリンクの入力端子部と前記バッテリー端子との間に挟んだ状態でボルト締結される構造とされているバッテリー接続用のヒュージブルリンクユニット。
【請求項２】
前記追加ヒュージブルリンクは、Ｌ形状に屈曲した細幅板のバスバーの下向き屈曲部を絶縁樹脂で被覆しており、該バスバーの上側水平部の先端に前記入力端子部を位置させていると共に傾斜させて溶断部と出力端子部が設けられている下向き屈曲部に連続させ、
前記追加ヒュージブルリンクの下向き屈曲部を前記基本ヒュージブルリンクの下向き屈曲部の一側内面に位置させている請求項１に記載のバッテリー接続用のヒュージブルリンクユニット。
【発明の詳細な説明】
【技術分野】
【０００１】
本発明は自動車に搭載されるバッテリー接続用のヒュージブルリンクユニットに関し、特に、バッテリーのバッテリーポストに固定するバッテリー端子にボルト締結するヒュージブルリンク（以下、ＦＬと略称する）において、出力端子に接続する電線が増加した場合に、汎用されている既存のＦＬを用いて大型化することなく対応できるようにするものである。
【背景技術】
【０００２】
従来、自動車に搭載されるバッテリーは、バッテリーポストに接続するバッテリー端子をＦＬと接続し、該ＦＬをワイヤハーネスの電源線に接続して自動車に搭載される電装品に電源を供給している。このバッテリーにバッテリー端子を介して接続するＦＬ（大型ヒューズ）を収容したヒューズユニットを本出願人は特開２００７−８７８２３号公報（特許文献１）で提供している。
【０００３】
図８に示すように、特許文献１のバッテリー接続用のヒューズユニット１００は、バッテリー３００のバッテリーポスト３１０に取り付けられるバッテリー端子１０１と接続するＦＬ１１０を備えている。ＦＬ１１０ではバスバー１２０が樹脂製ハウジング１３０に収容されている。バスバー１２０はバッテリー端子１０１のボルト１０１ｔに締結される入力端子部１２０ａと複数の出力端子部との間に複数の細幅とした溶断部１２０ｃを備え、複数の出力端子部がワイヤハーネス２００の各電線２００Ｗとそれぞれ接続されている。特許文献１のヒューズユニット１００では、前記構成としたＦＬ１１０を２個備え、第１ＦＬ１１０ーＡのバスバーに第２ＦＬ１１０ーＢのバスバーをボルト・ナットで締結して電気接続している。かつ、第１ＦＬ１１０ーＡのバスバーにオルタネータに接続される電線１６０の端末のＬ型端子１５０をボルト・ナットで締結して電気接続している。
第１ＦＬ１１０ーＡは４つ並設された溶断部１２０ｃを備え、第２ＦＬ１１０ーＢは５つ並設された溶断部１２０ｃを備え、これら各溶断部１２０ｃに連続する出力端子部はそれぞれワイヤハーネス２００の電線２００Ｗに接続されている。
【０００４】
なお、ハイグレードの大型車を除いて汎用されている車種では、バッテリー接続用のヒューズユニットとして、１つの第１ＦＬ１１０−Ａのみが採用されている場合が多い。かつ、ＦＬ１１０のＬ形状に屈曲されるバスバー１２０の縦方向部分に溶断部１２０ｃが設けられる場合が多い。
【先行技術文献】
【特許文献】
【０００５】
【特許文献１】特開２００７−８７８２３号公報
【発明の概要】
【発明が解決しようとする課題】
【０００６】
前記バッテリー端子に接続されるＦＬでは、１つのＦＬ１１０のバスバー１２０に並設される溶断部１２０ｃの個数は、予め接続が設定されている電線の本数に対応した個数とされており、通常、使用頻度の高いパターンで起工されて用いられている。よって、同一車種の中で仕様が若干変更され、１本の電線をＦＬの出力端子部に接続する必要が生じた場合、出力端子部の数が限定されているＦＬを用いることができなくなる。また、図８に示す第１ＦＬ１１０−Ａの出力端子部の個数が１つ不足しても、第２ＦＬ１１０−Ｂを積層したＦＬユニットを用いると大型化し、設置スペースがなくて使用できない場合もある。
【０００７】
本発明は前記問題に鑑みてなされたもので、ＦＬの出力端子に接続する電線が１〜２本増加するマイナーチェンジが発生した場合に、既存のＦＬボックスを用いて対応できるようにすると共に、既存のＦＬボックスより外形を大型化させず、従来のスペースに設置できるようにすることを課題としている。
【課題を解決するための手段】
【０００８】
前記課題を解決するため、本発明は、バッテリー端子にボルト締結するヒュージブルリンクユニットであり、
基本ＦＬと、追加電線に接続される追加ＦＬを備え、
前記基本ＦＬは、Ｌ形状に屈曲されたバスバーが絶縁樹脂で被覆されて上側水平部と下向き屈曲部を有する形状とされ、前記上側水平部に前記バッテリー端子のボルトが挿入されるボルト穴を有する入力端子部が位置し、前記下向き屈曲部に前記入力端子部から分岐する複数の溶断部と、各溶断部の下流に連続する複数の出力端子部が位置し、
前記追加ＦＬは前記基本ＦＬの上側水平部の下面と下向き屈曲部の内面に沿うと共に、外方へ突出することなく配置されるＬ形状とされ、
前記追加ＦＬの入力端子部は前記基本ＦＬの入力端子部と前記バッテリー端子との間に挟んだ状態でボルト締結される構造とされているバッテリー接続用のヒュージブルリンクユニットを提供している。
【０００９】
前記基本ＦＬは汎用されている既存品であり、該基本ＦＬに接続できる電線本数より１本の電線が追加される場合、該１本の電線に対応する前記追加ＦＬを用いて対応できるものとしている。このように、基本とするＦＬは汎用品を用い、電線の追加がある場合に、追加ＦＬを利用するだけであると共に、接続するバッテリー端子も既存品を利用できるため、製造コストを削減することができる。
かつ、Ｌ形状の基本ＦＬの内側のデッドスペースとなっている箇所に小型の追加ＦＬを配置し、外方へ突出させない構造としているため、従来のＦＬの設置スペースに設置することができる。
【００１０】
前記追加ＦＬは、Ｌ形状に屈曲した細幅板のバスバーの下向き屈曲部を絶縁樹脂で被覆しており、該バスバーの上側水平部の先端に前記入力端子部を位置させると共に傾斜させて、溶断部と出力端子部が設けられている下向き屈曲部に連続させ、
前記追加ＦＬの下向き屈曲部を前記基本ＦＬの下向き屈曲部の一側内面に位置させていることが好ましい。
【００１１】
基本ＦＬの上側水平部の下面と下向き屈曲部の内面に囲まれた空間はデッドスペースとなるが、その中央に基本ＦＬと接続する電線が位置する場合が多いため、この電線が配置される位置を避けて、確実にデッドスペースとなる側方に追加ＦＬを配置している。
【００１２】
ＦＬに接続する追加電線が２本となる場合は、前記追加ＦＬを２個用い、基本ＦＬのデッドスペースとなる内面側の左右対称位置に配置して対応することができる。
【発明の効果】
【００１３】
前述したように、本発明に係わるバッテリー接続用のＦＬユニットでは、既存の汎用されているＦＬを基本ＦＬとして用い、追加電線がある時に簡単かつ小型の追加ＦＬを用いている。かつ、基本ＦＬの内側のデッドスペースに追加ＦＬを重ねて配置した状態で、基本ＦＬの外形より外方に突出させず、設置スペースの増大を防止している。
さらに、追加ＦＬの組み付けは、基本ＦＬとバッテリー端子との間に追加ＦＬのバスバーの入力端子部を挟んで位置させ、バッテリー端子のボルトを追加ＦＬと基本ＦＬのボルト穴に連続して通して、ナットで締結すればよい。この作業は、従来の基本ＦＬをバッテリー端子とボルト締結する作業と基本的に変更追加がないため、追加ＦＬの組みつけを容易に行うことができる。
【図面の簡単な説明】
【００１４】
【図１】本発明の第１実施形態を示し、追加ＦＬを組みつけていない状態の基本ＦＬを示し、（Ａ）は正面図、（Ｂ）は右側面図、（Ｃ）は平面図、（Ｄ）はバスバーの斜視図である。
【図２】ＦＬを取り付けるバッテリー端子を示し、（Ａ）は平面図、（Ｂ）は正面図である。
【図３】（Ａ）は図１の基本ＦＬをバッテリー端子に取り付けた状態の正面図、（Ｂ）は（Ａ）の矢視図である。
【図４】前記基本ＦＬに組みつける追加ＦＬを示し、（Ａ）は斜視図、（Ｂ）は正面図、（Ｃ）は底面図である。
【図５】図４の追加ＦＬを基本ＦＬとバッテリー端子に取り付けた状態の正面図である。
【図６】図５の矢視図である。
【図７】第２実施形態を示し、（Ａ）は２つの追加ＦＬを基本ＦＬとバッテリー端子に取り付けた状態の正面図、（Ｂ）は第１、第２追加ＦＬの配置状態を示す図面である。
【図８】（Ａ）（Ｂ）は従来例を示す斜視図である。
【発明を実施するための形態】
【００１５】
以下、本発明の実施形態を図面を参照して詳述する。
図１乃至図６に第１実施形態を示す。
バッテリー接続用のヒュージブルリンクユニット（ＦＬユニット）１０の基本ヒュージブルリンク（基本ＦＬ）１は、前記図８に示す従来例と同様に、導電板からなるバスバー２を絶縁樹脂８で被覆した構造で、上側水平部１ａと下向き屈曲部１ｂを有するＬ形状とされ、汎用されている既存品である。
本発明のＦＬユニット１０は、図５に示すように、前記既存品の基本ＦＬ１に追加ＦＬ２０を組み合わせて、バッテリー端子１０１と接続できる構成としたユニットを指す。
【００１６】
図１および図３に示すように、基本ＦＬ１のバスバー２はＬ形状に屈曲され、上側水平部２ａの先端にバッテリーポスト３１０に取り付けられるバッテリー端子１０１と接続する入力端子部３を備えている。上側水平部２ａの他端から下向きに屈折させた下向き屈曲部２ｂに５個の溶断部４が分岐して並設され、各溶断部４の下端に連続して５個のタブ状の出力端子部５が並設されている。また、上側水平部２ａの一側に溶断部６Ａ、６Ｂを介して下流側電線端末のボルト締め端子（図示せず）と接続されるボルト７Ａ、７Ｂが突設されている。
【００１７】
前記入力端子部３にはボルト穴３ｈが設けられ、バッテリー端子１０１に突設されているボルト１０１ｔが下方からボルト穴３ｈに挿入され、上方からナット９を締結し、入力端子部３の下面にバッテリー端子１０１の基板１０１ａの上面が積層固定されるようにしている。
【００１８】
基本ＦＬ１は入力端子部３およびボルト締め端子と締結するボルト７Ａ、７Ｂを除いてバスバー２の表面を絶縁樹脂８で被覆して保護し、かつ、複数の出力端子部５を下面開口のコネクタ収容部８ａ内に収容している。該コネクタ収容部８ａ内には電線５０の端末に接続した端子５１を収容したコネクタ（図示せず）を嵌合している。
【００１９】
前記基本ＦＬ１は、上側水平部１ａと下向き屈曲部１ｂに囲まれた空間は、図３（Ｂ）に示すように、中央部分は前記ボルト締め端子と接続する電線１７０が配線されるが、両側はデッドスペースＳとなっている。
【００２０】
基本ＦＬ１の５個の出力端子部５は、下流側ワイヤハーネスの５本の電線５０に接続されるものとされている。同一車種であるがマイナーな仕様変更により、５本の電線５０の他に１本の追加電線５５をバッテリー端子１０１とＦＬを介して接続する必要が発生する場合がある。その際、図４に示す追加ＦＬ２０を用いている。該追加ＦＬ２０は図５および図６に示すように基本ＦＬ１の内側のデッドスペースＳに配置すると共に、該デッドスペースＳから外部にはみ出さないようにし、基本ＦＬの外形が拡大しないようにしている。
【００２１】
該追加ＦＬ２０は図４に示すように、細幅の導電板をＬ形に屈曲したバスバー２１を備え、傾斜させて延在させた水平方向の一側部２１ａの先端を入力端子部２２とし、その中央にボルト穴２２ｈを設けている。該一側部２１ａの他端を下向きに屈折させて他側部に下向き屈曲部２１ｂを設け、該下向き屈曲部２１ｂに１つの溶断部２３を設け、該溶断部２３の下流端に１つのタブ状の出力端子部２４を設けている。前記溶断部２３から出力端子部２４にかけて絶縁樹脂２５で被覆している。
【００２２】
図５に示すように、追加ＦＬ２０の入力端子部２２は基本ＦＬ１の入力端子部３の下面に当接配置し、該入力端子部２２の下面にバッテリー端子１０１の基板１０１ａを当接配置し、３枚重ねで積層できるようにしている。かつ、バッテリー端子１０１の基板１０１ａから突設するボルト１０１ｔを入力端子部２２のボルト穴２２ｈ、入力端子部３のボルト穴３ｈに順次挿入し、上方からナット９を締結して、追加ＦＬ２０を基本ＦＬ１と共にバッテリー端子１０１に電気接続している。
【００２３】
追加ＦＬ２０の入力端子部２２を基本ＦＬ１の入力端子部３とバッテリー端子１０１の間に挟んで締結固定した状態で、入力端子部２２に連続する一側部２１ａを水平方向で傾斜させているため、図６に示すように絶縁樹脂２５で被覆した溶断部２３および出力端子部２４は基本ＦＬ１の下向き屈曲部１ｂの左右方向の一側の内面に位置する。即ち、中央に配線される電線１７０を避けたデッドスペースＳに配置される。
【００２４】
前記のように、バッテリー端子に取り付けるＦＬに接続する電線５５が１本追加された場合、基本ＦＬ１に追加ＦＬ２０を組みつけるだけでよい。かつ、この組み付け状態で追加ＦＬ２０は基本ＦＬのデッドスペースＳ内に配置でき、基本ＦＬ１の外形を拡大しない。よって、基本ＦＬ１を配置できる設置スペースに、追加ＦＬ２０を基本ＦＬ１に組みつけて配置することができる。
【００２５】
このように、汎用されている既存品の基本ＦＬを用いることができ、追加電線のために追加ＦＬ２０を、基本ＦＬ１とバッテリー端子１０１とのボルト締結機構を利用して締結して電気接続しているため、連結機構も新たに起工する必要はない。しかも、基本ＦＬ１のデッドスペースＳに追加ＦＬ２０を配置するだけであるため、設置スペースの問題も発生しない。
【００２６】
図７（Ａ）（Ｂ）に第２実施形態を示す。
第２実施形態は、バッテリー端子１０１と接続するＦＬの出力端子部に２本の追加電線５５、５６を接続する必要が生じた場合に用いるものである。
追加電線５５は第１実施形態の追加ＦＬ２０を第１の追加ＦＬとして用いて基本ＦＬ１と接続する一方、他方の追加電線５６を第１の追加ＦＬ２０と左右対称形状とした第２の追加ＦＬ３０を用いて基本ＦＬ１と接続している。
【００２７】
即ち、第２の追加ＦＬ３０のバスバー３１の水平方向の一側部の傾斜方向を第１の追加ＦＬ２０の傾斜方向と逆とし、該一側部の先端に入力端子部３２を設け、その中央にボルト穴３２ｈを設けている。バスバー３１の下向きに屈折した部位に１つの溶断部３３および出力端子部３４を設け、絶縁樹脂３５で被覆しており、該構成は追加ＦＬ２０と同じである。
【００２８】
前記第１の追加ＦＬ２０と第２の追加ＦＬ３０の組付方法は、図７（Ａ）に示すように、基本ＦＬ１の入力端子部３の下面に第１の追加ＦＬ２０の入力端子部２２を重ね、その下面に第２の追加ＦＬ３０の入力端子部３２を重ね、さらに、その下面にバッテリー端子１０１の基板１０１ａを重ね、ボルト１０１ｔを入力端子部３２のボルト穴３２ｈ、入力端子部２２のボルト穴２２ｈ、入力端子部３のボルト穴３ｈに通して、ナットで上方から締結する。
この状態で、図７（Ｂ）に示すように、第１の追加ＦＬ２０の下向き屈曲部は基本ＦＬ１の下向き屈曲部１ｂの図中右側内面に位置する一方、第２の追加ＦＬ３０の下向き屈曲部は基本ＦＬ１の下向き屈曲部１ｂの図中左側内面に位置する。
【００２９】
前記第１の追加ＦＬ２０と第２の追加ＦＬ３０の配置位置は、いずれも基本ＦＬ１のデッドスペースＳであるため問題なく配置出来ると共に、デッドスペースＳより外方へ突出しない。
【００３０】
前記のように、本発明では、バッテリー端子と接続するＦＬに接続する電線が１〜２本増加しても、追加ＦＬ２０、３０を用いることで、既存の基本ＦＬ１を用いながら、簡単かつ低コストで対応できる。
なお、３本の電線を追加する場合は、さらに第３の追加ＦＬを設け、基本ＦＬの下向き屈曲部の中央に配置すればよい。
【符号の説明】
【００３１】
１  基本ＦＬ
１ａ  上側水平部
１ｂ  下向き屈曲部
２  バスバー
３  入力端子部
３ｈ  ボルト穴
４  溶断部
５  出力端子部
８  絶縁樹脂
２０  追加ＦＬ
２１  バスバー
２１ａ  一側部
２１ｂ  下向き屈曲部
２２  入力端子部
２２ｈ  ボルト穴
２３  溶断部
２４  出力端子部
２５  絶縁樹脂  
５５  追加電線
１０１  バッテリー端子  
１０１ａ  基板
１０１ｔ  ボルト
３１０  バッテリーポスト
【図１】
2017191650.tif 000003
【図２】
2017191650.tif 000004
【図３】
2017191650.tif 000005
【図４】
2017191650.tif 000006
【図５】
2017191650.tif 000007
【図６】
2017191650.tif 000008
【図７】
2017191650.tif 000009
【図８】
2017191650.tif 000010